【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
コネクタ部品を有し、該コネクタ部品の第１端が光ケーブルを接続するために使用され、前記コネクタ部品の第２端にはフェルールが配置され、該フェルールの周りには保護チューブが配置され、前記フェルールの端面は前記保護チューブの端面から突き出るか又は前記フェルールの端面は前記保護チューブの端面と同じ高さであり、
前記コネクタ部品は、フェルール接続部材、接続シャフト、及び光ケーブル固定装置を有し、前記フェルール接続部材の一端には前記フェルールが配置され、前記フェルール接続部材の他端は前記接続シャフトへ接続され、該接続シャフトの、前記フェルール接続部材から離れている一端は前記光ケーブル固定装置へ接続され、該光ケーブル固定装置は前記光ケーブルを固定するために使用され、前記接続シャフトには軸方向に延在する貫通孔が設けられ、該貫通孔は前記光ケーブルのケーブルコアが通るために使用され、該ケーブルコアは前記フェルール接続部材で前記フェルールへ接続されるよう前記貫通孔を通る、
光ファイバサブアセンブリ。
【請求項２】
前記コネクタ部品を覆うスリーブとしてロッキングキャップが設けられ、該ロッキングキャップの内孔の壁に接続キーが配置され、前記ロッキングキャップは前記コネクタ部品に対して回転可能であり、前記コネクタ部品と前記ロッキングキャップとの間にはバネが配置される、
請求項１に記載の光ファイバサブアセンブリ。
【請求項３】
前記ロッキングキャップは前記接続シャフトを覆うスリーブを構成し、該接続シャフトの外壁にはアキシャルショルダが形成され、前記ロッキングキャップの内壁には突起が形成され、前記バネの一端は前記アキシャルショルダに当接し、前記バネの他端は前記突起に当接する、
請求項２に記載の光ファイバサブアセンブリ。
【請求項４】
前記ロッキングキャップと前記接続シャフトとの間にシーリングリングが配置される、
請求項３に記載の光ファイバサブアセンブリ。
【請求項５】
前記光ケーブル固定装置は、リアリテーナ、ヒートシンクチュービング、及び圧着構造を有し、前記ヒートシンクチュービングは前記光ケーブルを覆うスリーブを構成し、前記圧着構造は、前記光ケーブルのアラミドヤーン層及び前記接続シャフトを一緒にリベット締めするために使用され、前記リアリテーナは前記ヒートシンクチュービングを覆うスリーブを構成し、かつ、前記接続シャフトの、前記フェルール接続部材から離れている端部へ接続される、
請求項３又は４に記載の光ファイバサブアセンブリ。
【請求項６】
前記接続シャフトの側壁には位置決めスロットが設けられ、該位置決めスロットにはスナップリングが配置され、前記リアリテーナは前記スナップリングにクランプ締めされる、
請求項５に記載の光ファイバサブアセンブリ。
【請求項７】
前記コネクタ部品の前記第２端に着脱可能に第１防塵キャップが接続される、
請求項１乃至６のうちいずれか一項に記載の光ファイバサブアセンブリ。
【請求項８】
前記保護チューブはノッチを有する、
請求項１乃至７のうちいずれか一項に記載の光ファイバサブアセンブリ。
【請求項９】
前記ノッチの外端に斜縁が形成される、
請求項８に記載の光ファイバサブアセンブリ。
【請求項１０】
アダプタ及び光ファイバサブアセンブリを有し、
前記アダプタの第１端には、ジャック及び該ジャックの周りに設けられた環状スロットが配置され、
前記光ファイバサブアセンブリは、請求項１乃至９のうちいずれか一項に記載の光ファイバサブアセンブリであり、
前記光ファイバサブアセンブリのフェルールは前記アダプタの前記ジャックに挿入され、前記光ファイバサブアセンブリの保護チューブは前記環状スロットに相応に挿入される、
光ファイバコネクタ。
【請求項１１】
前記コネクタ部品を覆うスリーブとしてロッキングキャップが設けられ、該ロッキングキャップは前記アダプタでクランプ締めされる、
請求項１０に記載の光ファイバコネクタ。
【請求項１２】
前記ロッキングキャップは前記コネクタ部品に対して回転可能であり、前記ロッキングキャップの内孔の壁には接続キーが配置され、前記コネクタ部品と前記ロッキングキャップとの間にはバネが配置され、前記アダプタの側壁には回転ロッキングスロットが設けられ、該回転ロッキングスロットは、軸方向に延在する軸セクションと、円周方向に延在する円周セクションとを有し、前記軸セクションの外端には開口が形成され、前記軸セクションの内端は前記円周セクションと連通し、該円周セクションの内端には、前記アダプタの前記第１端に向かって広がる延伸部分が形成され、前記ロッキングキャップは前記アダプタを覆い、前記接続キーは前記延伸部分においてクランプ締めされ、前記バネの弾性力は、前記接続キーが前記延伸部分から外れることを防ぐことができる、
請求項１１に記載の光ファイバコネクタ。
【請求項１３】
複数の接続キーがあり、複数の回転ロッキングスロットがあり、前記複数の接続キー及び前記複数の回転ロッキングスロットは一対一の対応でクランプ締めされる、
請求項１２に記載の光ファイバコネクタ。
【請求項１４】
前記保護チューブはノッチを有し、前記環状スロットにおいて、前記ノッチに対応する位置に分離リブが形成され、該分離リブは、前記保護チューブが前記環状スロットに挿入される場合に、前記ノッチに相応に挿入される、
請求項１０乃至１３のうちいずれか一項に記載の光ファイバコネクタ。
【請求項１５】
前記ノッチの外端に斜縁が形成される、
請求項１４に記載の光ファイバコネクタ。
【請求項１６】
前記アダプタの前記第１端に着脱可能に第２防塵キャップが接続され、ネジ山を経て前記アダプタの第２端にナットが接続され、前記アダプタの側壁にフランジが配置され、前記フランジと前記ナットの間にシーリングリングが配置され、該シーリングリングはストリングを経て前記第２防塵キャップへ接続される、
請求項１０乃至１５のうちいずれか一項に記載の光ファイバコネクタ。
【手続補正２】
【補正対象書類名】明細書
【補正対象項目名】全文
【補正方法】変更
【補正の内容】
【発明の詳細な説明】
【発明の名称】光ファイバサブアセンブリ及び光ファイバコネクタ
【技術分野】
【０００１】
本願は、光通信技術の分野に、特に、光ファイバサブアセンブリ及び光ファイバコネクタに関する。
【背景技術】
【０００２】
現代社会が発展し、情報量が爆発的に成長するにつれて、人々はますます高いネットワークスループット能力を必要とする。超高バンド幅及び低電磁気干渉などの他にない特徴により、光伝送は、現代通信の主流の解決法に徐々になりつつある。特に、現在新たに構築されているネットワーク、例えば、ファイバ・トゥー・ザ・ホーム（Fiber  To  The  Home，ＦＴＴＨ）によって表されるアクセスネットワークは、現在大規模に開発されている。
【０００３】
ファイバ・トゥー・ザ・ホームネットワークの構成では、光回線端末（Optical  Line  Terminal，ＯＬＴ）とユーザのファイバアクセス端末ボックス（Access  terminal  box，ＡＴＢ）との間に光ファイバケーブル、光分配ケーブル、及び光ドロップケーブルが順にある必要がある。光ドロップケーブルは、光分割ボックス及びファイバアクセス端末ボックスを接続するために使用される。ＦＴＴＨネットワークにおいて光ドロップケーブルを敷設する過程で、１つのアプローチはスプライシングである。具体的に言えば、全家庭に対応する光ファイバ端末が光分割ボックスに分布している。光ファイバ端末及び各家庭の光ドロップケーブルの一端は、光ファイバスプライサを使用することによってファイバ分割ボックスにおいてつなぎ合わされ、それから、光ドロップケーブルは家庭に設置される。光ドロップケーブルの他端はまた、光ドロップケーブルを家庭のファイバアクセス端末ボックスへ接続するよう現場でつなぎ合わされる必要がある。このアプローチのために、専用の光ファイバスプライシングデバイスが必要とされ、オペレータは十分に熟練している必要があり、全部の光ドロップケーブルを敷設するには比較的に長い時間がかかる。他のアプローチでは、フィールド取り付けコネクタ製品が使用される。具体的に言えば、接続される分配光ケーブルにおける光ファイバは、最初に終端され、ファイバ分割ボックスにおいてアダプタの一端へ接続される。接続中、ユーザは、光ドロップケーブルを終端するよう現場でコネクタを組み立て、アダプタの他端へ光ドロップケーブルを接続してユーザ接続を実装する。それから、光ドロップケーブルは家庭に設置される。フィールド取り付けコネクタはまた、家庭のカスタマスプライシング点へ光ドロップケーブルを接続するよう光ドロップケーブルの他端に取り付けられる。スプライサはこのアプローチでは省略される。しかし、フィールド取り付けコネクタは、高い挿入損失（０．３ｄＢから０．５ｄＢ）及び低い信頼性といった問題を有している。
【０００４】
ファイバコネクタ化製品は、上記の問題を望ましく解消し得る。コネクタ化は、光ドロップケーブルが工場で終端されることを意味する。具体的に言えば、光ファイバサブアセンブリは、光ドロップケーブルの両端で作られ、光学的、機械的、環境的な性能が試験される。適合している光ファイバアダプタが、対応するファイバ分割ボックス及び対応するカスタマスプライシング点で作られる。光ドロップケーブルを敷設する過程で、光ドロップケーブルの両端で、対応するファイバ分割ボックス及び対応するカスタマスプライシング点にある光ファイバアダプタに光ファイバサブアセンブリを挿入しさえすればよい。ファイバコネクタ化製品は、システム安全性を十分に確保し、設計要件を満足し、その場での現場建設中に必要とされる時間及びデバイスを減らすために、光ファイバネットワークの設計、建設、及び使用における様々な不確かさによってファイバリンクに引き起こされるダメージ又は安全上の問題を最小限にし得る。
【０００５】
既存の光ファイバサブアセンブリは、通常はコネクタを含む。コネクタの一端は光ドロップケーブルへ接続され、コネクタの他端にはフェルールが配置され、フェルールの周りには保護チューブが配置される。フェルールの端面は、フェルールを保護するよう保護チューブの端面から突き出ない。しかし、光ファイバサブアセンブリ及びアダプタの接続中に、フェルールは保護チューブによって完全にブロックされているので、アダプタのジャックにフェルールを挿入する動作において、フェルールをアダプタのジャックとアライメントすることは極めて困難である。結果として、動作は時間がかかる。更に、フェルールは、誤った挿入を繰り返す間に繰り返し影響を受け、フェルールは、容易にダメージの影響を受けやすい。
【発明の概要】
【０００６】
本願の実施形態は、光ファイバサブアセンブリのフェルールをアダプタのジャックとアライメントすることを助け、接続効率を改善し、かつ、フェルールをダメージから守るように、光ファイバサブアセンブリ及び光ファイバコネクタを提供する。
【０００７】
上記の目的を達成するために、次の技術的解決法が、本願の実施形態で使用される。
【０００８】
第１の態様に従って、本願は、コネクタ部品を含み、コネクタ部品の第１端が光ケーブルを接続するために使用され、コネクタ部品の第２端にはフェルールが配置され、フェルールの周りには保護チューブが配置され、フェルールの端面は保護チューブの端面から突き出るか又はフェルールの端面は保護チューブの端面と同じ高さである、光ファイバサブアセンブリを提供する。
【０００９】
本願のこの実施形態で提供される光ファイバサブアセンブリでは、フェルールの端面が保護チューブの端面から突き出るか、又はフェルールの端面が光ファイバサブアセンブリにおいて保護チューブの端面と同じ高さであるから、フェルールのポジションが光ファイバサブアセンブリ及びアダプタの接続中にオペレータに見え、フェルールをアダプタのジャックとアライメントすることを助け、挿入の成功率は上がり、フェルールは、誤った挿入による影響の繰り返しから保護され、従って、ダメージから守られる。フェルールは、光ファイバサブアセンブリの通常的な使用の間に定期的に又は不定期的に掃除される必要がある。そのため、フェルールの端面が保護チューブの端面から突き出るか、又はフェルールの端面が保護チューブの端面と同じ高さであるということで、フェルールを掃除する動作が更に容易にされ得る。
【００１０】
可能な実施において、コネクタ部品を覆うスリーブとしてロッキングキャップが設けられ、ロッキングキャップはアダプタを接続するために使用される。このようにして、光ファイバサブアセンブリ及びアダプタの接続ポジションは保護され、それによって、外部環境によって引き起こされるダメージから光ファイバコネクタを守り得る。
【００１１】
可能な実施において、ロッキングキャップの内孔の壁に接続キーが配置され、ロッキングキャップはコネクタ部品に対して回転可能であり、コネクタ部品とロッキングキャップとの間にはバネが配置される。
【００１２】
可能な実施において、コネクタ部品は、フェルール接続部材、接続シャフト、及び光ケーブル固定装置を含み、フェルール接続部材の一端にはフェルールが配置され、フェルール接続部材の他端は接続シャフトへ接続され、接続シャフトの、フェルール接続部材から離れている一端は光ケーブル固定装置へ接続され、光ケーブル固定装置は光ケーブルを固定するために使用され、接続シャフトには軸方向に延在する貫通孔が設けられ、貫通孔は光ケーブルのケーブルコアが通るために使用され、ケーブルコアはフェルール接続部材でフェルールへ接続されるよう貫通孔を通る。
【００１３】
可能な実施において、ロッキングキャップは接続シャフトを覆うスリーブを構成し、接続シャフトの外壁にはアキシャルショルダが形成され、ロッキングキャップの内壁には突起が形成され、バネの一端はアキシャルショルダに当接し、バネの他端は突起に当接する。構造において、バネは、組み立て動作が使い勝手が良いように、追加の部品を使用せずに位置合わされ取り付けられ得る。
【００１４】
可能な実施において、水分及び塵埃などの異物が、ロッキングキャップと接続シャフトとの間の接続を通って光ファイバコネクタに入ってＩＰ６８保護レベルに達することを防ぐように、ロッキングキャップと接続シャフトとの間にシーリングリングが配置される。
【００１５】
可能な実施において、保持を助け、かつ、ロッキングキャップが回転するよう操作されるときにスリップを防ぐように、ロッキングキャップの側壁には、対称な平坦面が形成される。
【００１６】
可能な実施において、摩擦を更に大きくし、かつ、操作中の持ち味を改善するように、平坦面にスリップ防止溝が形成される。
【００１７】
可能な実施において、光ケーブル固定装置は、リアリテーナ、ヒートシンクチュービング、及び圧着構造を含み、ヒートシンクチュービングは光ケーブルを覆うスリーブを構成し、圧着構造は、光ケーブルのアラミドヤーン層及び接続シャフトを一緒にリベット締めするために使用され、リアリテーナはヒートシンクチュービングを覆うスリーブを構成し、かつ、接続シャフトの、フェルール接続部材から離れている端部へ接続される。このようにして、光ファイバサブアセンブリの末端で光ケーブルは有効に固定され得、光ファイバサブアセンブリの引っ張り強さ及び密封性は改善され得る。
【００１８】
可能な実施において、接続シャフトの側壁には位置決めスロットが設けられ、位置決めスロットにはスナップリングが配置され、リアリテーナはスナップリングにクランプ締めされる。このようにして、リアリテーナは、軸方向に動かないようにされ得る。
【００１９】
可能な実施において、コネクタ部品の第２端に着脱可能に第１防塵キャップが接続される。このようにして、光ファイバサブアセンブリがアダプタに挿入される前に、防塵性及び防水性が提供され得、フェルールは保護され得る。
【００２０】
可能な実施において、保護チューブはノッチを有する。
【００２１】
可能な実施において、ノッチの外端に斜縁が形成される。
【００２２】
可能な実施において、フェルールの端面と保護チューブの端面との間の高さの差は、０ｍｍから０．５ｍｍの間である。高さの差が上記の範囲内にあるとき、それにより、フェルールのポジションはオペレータに容易に見えることができ、かつ、フェルールは有効に保護され得る。
【００２３】
第２の態様に従って、本願の実施形態はアダプタを更に提供し、アダプタの第１端には、ジャック及びジャックの周りに設けられた環状スロットが設けられる。
【００２４】
第２の態様の可能な実施において、アダプタの側壁には回転ロッキングスロットが設けられ、回転ロッキングスロットは、軸方向に延在する軸セクションと、円周方向に延在する円周セクションとを含み、軸セクションの外端には開口が設けられ、軸セクションの内端は円周セクションと連通し、円周セクションの一端には、アダプタの第１端に向かって広がる延伸部分が形成される。
【００２５】
第２の態様の可能な実施において、環状スロットには分離リブが形成される。
【００２６】
第２の態様の可能な実施において、アダプタの第１端に着脱可能に第２防塵キャップが接続され、ネジ山を経てアダプタの第２端にナットが接続され、アダプタの側壁にフランジが配置され、フランジとナットの間にシーリングリングが配置され、シーリングリングはストリングを経て第２防塵キャップへ接続される。このようにして、アダプタが使用される前に、防塵性及び防水性が提供され得る。
【００２７】
第２の態様の可能な実施において、複数の回転ロッキングスロットがあり複数の回転ロッキングスロットは、アダプタの円周に沿って均一に分布する。
【００２８】
第３の態様に従って、本願の実施形態は、アダプタ及び光ファイバサブアセンブリを含み、
光ファイバサブアセンブリは、第１の態様のいずれかの実施における上記の光ファイバサブアセンブリであり、
アダプタは、第２の態様のいずれかの実施における上記のアダプタであり、
光ファイバサブアセンブリのフェルールはアダプタのジャックに挿入され、光ファイバサブアセンブリの保護チューブは環状スロットに相応に挿入される。
【００２９】
本願のこの実施形態で提供される光ファイバコネクタでは、フェルールの端面は、光ファイバサブアセンブリにおいて保護チューブの端面から突き出る。そのため、フェルールのポジションは、光ファイバサブアセンブリ及びアダプタの接続中にオペレータに見え、フェルールをアダプタのジャックとアライメントすることを助け、挿入の成功率は上がり、フェルールは誤った挿入による影響の繰り返しから保護され、従って、ダメージから守られる。フェルールは、光ファイバサブアセンブリの通常の使用の間に定期的に又は不定期的に掃除される必要がある。従って、フェルールの端面が保護チューブの端面から突き出るか、又はフェルールの端面が保護チューブの端面と同じ高さであるということで、フェルールを掃除する動作が、更に容易にされ得る。
【００３０】
第３の態様の可能な実施において、コネクタ部品を覆うスリーブとしてロッキングキャップが設けられ、ロッキングキャップは前記アダプタでクランプ締めされる。このようにして、光ファイバサブアセンブリ及びアダプタの接続ポジションは保護され、それによって、外部環境によって引き起こされるダメージから光ファイバコネクタを保護する。
【００３１】
第３の態様の可能な実施において、ロッキングキャップはコネクタ部品に対して回転可能であり、ロッキングキャップの内孔の壁には接続キーが配置され、コネクタ部品とロッキングキャップとの間にはバネが配置され、アダプタの側壁には回転ロッキングスロットが設けられ、回転ロッキングスロットは、軸方向に延在する軸セクションと、円周方向に延在する円周セクションとを含み、軸セクションの外端には開口が形成され、軸セクションの内端は円周セクションと連通し、円周セクションの一端には、アダプタの第１端に向かって広がる延伸部分が形成され、ロッキングキャップの内孔はアダプタを覆い、接続キーは延伸部分においてクランプ締めされ、バネの弾性力は、接続キーが延伸部分から外れることを防ぐことができる。このようにして、光ファイバサブアセンブリ及びアダプタの組み立て中に、フェルールがアダプタのジャックに挿入された後、接続キーは、回転ロッキングスロットの末端伸長部分内に回転させるだけで済み、回転の繰り返しがないことにより時間が節約されかつ労力が節約される。更に、コネクタ部品とロッキングキャップとの間にバネが配置されるので、バネの弾性力の下で、接続キーは回転ロッキングスロットの末端伸長部分できつくクランプ締めされ得る。このようにして、光ファイバサブアセンブリ及びアダプタは、長期の振動の下でさえ緩みを生じず、光ファイバコネクタの長期の信頼性を確かにする。
【００３２】
第３の態様の可能な実施において、保護チューブはノッチを有し、環状スロットにおいて、ノッチに対応する位置に分離リブが形成され、分離リブは、保護チューブが環状スロットに挿入される場合に、ノッチに相応に挿入される。このようにして、分離リブは、コネクタ部品がアダプタに対して回転しないように、保護チューブが回転することを防ぐことができる。
【００３３】
第３の態様の可能な実施において、ノッチの外端に斜縁が形成される。このようにして、たとえ分離リブがノッチの中心とアライメントされないとしても、分離リブは、組み立て動作を助けるために、ノッチに滑り入るように斜縁によって導かれ得る。
【００３４】
第３の態様の可能な実施において、複数の接続キーがあり、複数の回転ロッキングスロットがあり、複数の接続キー及び複数の回転ロッキングスロットは一対一の対応でクランプ締めされる。このようにして、光ファイバサブアセンブリがアダプタから外れないように、型締力は、より一様に分布することができる。
【００３５】
第３の態様の可能な実施において、ロッキングキャップの外壁に指示マークが配置される。指示マークが保護チューブのノッチとアライメントされるとき、保護チューブのノッチ及びロッキングキャップ上の接続キーの相対ポジションは、アダプタ上の分離リブ及び回転ロッキングスロットの開口の相対ポジションに適応する。このようにして、光ファイバサブアセンブリ及びアダプタの接続中に、保護チューブのノッチを環状スロットの分離リブとアライメントし、同時に、ロッキングキャップ上の接続キーをアダプタ内の回転ロッキングスロットの開口とアライメントすることを助ける。
【００３６】
第３の態様の可能な実施において、ロッキングキャップと保護チューブとの間には回転制限構造が配置され、回転制限構造は、コネクタ部品に対してロッキングキャップの回転角度を制限するために使用される。
【図面の簡単な説明】
【００３７】
【図１】ＦＴＴＨネットワークの略構造図である。
【図２】本願の実施形態に従う光ファイバコネクタの略構造図である。
【図３】本願の実施形態に従う光ファイバサブアセンブリの略構造図である。
【図４】本願の実施形態に従う光ファイバサブアセンブリの略構造断面図である。
【図５】本願の実施形態に従う光ファイバサブアセンブリの略構造分解図である。
【図６】本願の実施形態に従うアダプタの略構造図である。
【図７】本願の実施形態に従うアダプタの略構造分解図である。
【図８】本願の実施形態に従う光ファイバサブアセンブリの端面の略構造図である。
【図９】本願の実施形態に従う光ファイバサブアセンブリの部分略構造図である。
【図１０】本願の実施形態に従うアダプタ及び第２防塵キャップの略構造分解図である。
【発明を実施するための形態】
【００３８】
図１は、ＦＴＴＨネットワークの略構造図である。ＦＴＴＨネットワークは、セントラルオフィス（ＣＯ，Central  Office）０１と、コネクタ化ファイバ分配点（ＣＦＤＰ，Connectorized  Fiber  Distribution  Point）０３と、カスタマスプライシング点（ＣＳＰ，Customer  Splicing  Point）０５とを含む。セントラルオフィス０１は、光分配ケーブル０２を使用することによってコネクタ化ファイバ分配点０３へ接続されている。コネクタ化ファイバ分配点０３は、光ドロップケーブル０４を使用することによってカスタマスプライシング点０５へ接続されている。本願の実施形態で提供される光ファイバコネクタは、光ドロップケーブル０４とコネクタ化ファイバ分配点０３との間の接続に適用可能である。本願は、一例としてＦＴＴＨネットワークを使用することによって記載されることが留意されるべきである。本願における解決法はまた、他のタイプの光通信ネットワークでも使用されてよい。
【００３９】
第１の態様に従って、図２に示されるように、本願の実施形態は、アダプタ１と、光ファイバサブアセンブリ２と、光ファイバサブアセンブリ３と、光ケーブル４とを含む光ファイバコネクタを提供する。光ファイバサブアセンブリ２の構造は、図３及び図４に示されている。光ファイバサブアセンブリ２はコネクタ部品２１を含む。コネクタ部品２１の第１端は光ケーブル４を接続するために使用される。コネクタ部品２１の第２端には、フェルール２１１が配置される。フェルール２１１の周りには、保護チューブ２１２が配置される。フェルール２１１の端面は、保護チューブ２１２の端面から突き出るか、又はフェルール２１１の端面は、保護チューブ２１２の端面と同じ高さである。アダプタ１の構造は図６に示され、ジャック１１及びジャック１１の周りの環状スロット１２がアダプタ１の第１端に配置される。アダプタ１の第２端は、光ファイバサブアセンブリ３を挿入するために使用される。光ファイバサブアセンブリ２及びアダプタ１が相互接続されるとき、光ファイバサブアセンブリ２のフェルール２１１はアダプタ１のジャック１１に挿入され、光ファイバサブアセンブリ２の保護チューブ２１２は相応して環状スロット１２に挿入される。
【００４０】
本願のこの実施形態で提供される光ファイバコネクタについて、フェルール２１１の端面は、保護チューブ２１２の端面から突き出るか、又はフェルール２１１の端面は、光ファイバサブアセンブリ２において保護チューブ２１２の端面と同じ高さである。従って、光ファイバサブアセンブリ２及びアダプタ１の接続中に、フェルール２１１のポジションはユーザに見え、フェルール２１１をアダプタ１のジャック１１とアライメントすることを助ける。結果として、挿入成功率は、より高い。フェルール２１１は、不正確な挿入による影響の繰り返しから保護され、フェルール２１１はダメージから守られる。その上、光ファイバサブアセンブリ２の通常の使用の間に、フェルール２１１は定期的に又は不定期的に掃除される必要がある。フェルール２１１の端面は、保護チューブ２１２の端面から突き出るか、又はフェルール２１１の端面は、保護チューブ２１２の端面と同じ高さであり、それによって、更には、フェルール２１１を掃除する動作を容易にする。
【００４１】
可能な実施において、フェルール２１１の端面と保護チューブ２１２の端面との間の高さの差Ｈは、０ｍｍから０．５ｍｍの間であってよい。上記の範囲内の高さの差Ｈは、オペレータがフェルール２１１のポジションを確認することを助け、また、フェルールを有効に保護することを助ける。
【００４２】
ＩＰ６８保護レベルを満足するよう光ファイバサブアセンブリ２とアダプタ１との間の接続部分を有効に保護するために、図３、図４、及び図５に示されるように、ロッキングキャップ２２がコネクタ部品２１を覆うスリーブを構成してもよい。光ファイバサブアセンブリ２がアダプタ１に挿入された後、ロッキングキャップ２２はアダプタ１に接続され、それにより、ロッキングキャップ２２は、光ファイバサブアセンブリ２及びアダプタ１の接続部分の周りにきつく巻き付けられて、光ファイバコネクタが外部環境によって引き起こされるダメージから保護されるようにする。
【００４３】
ロッキングキャップ２２及びアダプタ１は、様々な方法で接続されてよい。例えば、ロッキングキャップ２２及びアダプタ１は、ネジ接合により接続されてよい。なお、ネジ接続様式は、締め付け及び緩ませのために、繰り返される回転を必要とし、面倒なかつ時間がかかる動作をもたらす。更に、動作が加えるネジ締め力は異なることがあり、異なる締め付け効果をもたらす。その上、長期の振動が、フェルール接続部材２１３の長期の信頼性に作用するように、ネジ接続を緩める可能性がある。従って、ロッキングキャップ２２は、クランプ構造を使用することによってアダプタ１でクランプ締めされてよい。具体的に、図６及び図７に示されるように、回転ロッキングスロット１３がアダプタ１の側壁に設けられる。回転ロッキングスロット１３は、軸方向Ｘに延在する軸セクション１３１と、円周方向Ｙに延在する円周セクション１３２とを含む。開口が軸セクション１３１の外端に形成され、軸セクション１３１の内端は円周セクション１３２と連通し、円周セクション１３２の一端には、アダプタ１の第１端に向かって広がる延伸部分１３３が形成される。ロッキングキャップ２２はコネクタ部品２１に対して回転することができる。図８に示されるように、接続キー２２１がロッキングキャップ２２の内孔の壁に配置される。図４及び図５に示されるように、コネクタ部品２１とロッキングキャップ２２との間には、バネ２３が配置される。光ファイバサブアセンブリ２が軸方向Ｘにおいてアダプタ１に挿入されるとき、ロッキングキャップ２２はアダプタ１を覆い、接続キー２２１は、軸セクション１３１の外端にある開口から軸セクション１３１に入る。接続キー２２１が軸セクション１３１の内端にあるとき、ロッキングキャップ２２を回転させることで、接続キー２２１は円周セクション１３２の端部に入ることができる。この場合に、バネ２３の弾性力は、ロッキングキャップ２２がアダプタ１から離れることを可能にし、それにより、接続キー２２１は、接続キー２２１が円周方向に動くことを防ぎ、かつ、ロッキングキャップ２２がアダプタ１から外れることを防ぐように、円周セクション１３２の端部の延伸部分１３３でクランプ締めされる。
【００４４】
上記の実施形態では、ロッキングキャップ２２はコネクタ部品２１を覆うスリーブを構成し、ロッキングキャップ２２は、接続キー２２１を使用することによって回転ロッキングスロット１３でクランプ締めされる。そのため、光ファイバサブアセンブリ２及びアダプタの組み立て中に、フェルール２１１がアダプタ１のジャック１１に挿入された後、接続キー２２１は、回転ロッキングスロット１３の末端伸長部分１３３内に回転させるだけで済み、回転の繰り返しがないことにより時間が節約されかつ労力が節約される。更に、コネクタ部品２１とロッキングキャップ２２との間にバネ２３が配置されるので、バネ２３の弾性力の下で、接続キー２２１は回転ロッキングスロット１３の末端伸長部分１３３できつくクランプ締めされ得る。このようにして、光ファイバサブアセンブリ２及びアダプタ１は、長期の振動の下でさえ緩みを生じず、光ファイバコネクタの長期の信頼性を確かにする。
【００４５】
図８に示されるように、２つの接続キー２２１が存在してもよく、相応して、２つの回転ロッキングスロット１３が存在してよい。２つの接続キー２２１及び２つの回転ロッキングスロット１３は、一対一の対応でクランプ締めされる。このようにして、型締力は、光ファイバサブアセンブリ２がアダプタ１から外れないように、より一様に分布することができる。配置空間によって許容されるように、２よりも多い接続キー２２１及び２よりも多い回転ロッキングスロット１３が存在してもよい。例えば、３又は４の接続キー２２１が存在し、３又は４の回転ロッキングスロット１３が存在する。これは本願で制限されない。
【００４６】
コネクタ部品２１がアダプタ１に対して回転しないように、図９に示されるように、ノッチ２１２１が保護チューブ２１２において設けられてもよく、保護チューブ２１２を非閉鎖構造にならしめる。相応して、図６に示されるように、分離リブ１２１が、環状スロット１２において、ノッチ２１２１に対応する位置に形成されてよい。保護チューブ２１２が環状スロット１２に挿入されるとき、分離リブ１２１は、相応して、ノッチ２１２１に挿入される。このようにして、分離リブ１２１は、コネクタ部品２１がアダプタ１に対して回転しないように、保護チューブ２１２が回転することを防ぎ得る。
【００４７】
図９に示されるように、分離リブ１２１をノッチ２１２１とアライメントすることを助けるために、斜縁２１２２がノッチ２１２１の外端に形成されてよく、それにより、ノッチ２１２１はホーンフレアの形状を形成する。このようにして、たとえ分離リブ１２１がノッチ２１２１の中心とアライメントされないとしても、分離リブ１２１は、ノッチ２１２１に滑り入るように斜縁２１２２によって導かれ得る。オペレータがアダプタ１を光ファイバサブアセンブリ２へ接続するとき、フェルール２１１のポジションが目に見えることは、フェルール２１１をジャック１１とアライメントすることを助ける。その上、斜縁２１２２の誘導効果は、保護チューブ２１２のノッチ２１２１が分離リブ１２１とアライメントすることを可能にし、それによって、挿入効率及び挿入成功率を更に改善し、かつ、プラグをダメージから有効に守り得る。
【００４８】
具体的に、図９に示されるように、斜縁２１２２は面取り縁であってよい。面取り縁の構造は、加工のために、より都合がよい。ホーンフレアの外端にある開口は、比較的に大きい誘導範囲を有するように、比較的に大きく設定され得る。図９に示されるように、片側斜縁２１２２の傾斜角αは、０度以上かつ３０度以下であるよう設定されてよい。例えば、片側斜縁２１２２の傾斜角αは、１０度、１２度、１５度、３０度、などに設定されてよい。αの角度は、実際の要件に従って調整されてよい。これは本願で制限されない。その上、斜縁２１２２はフィレット縁であってもよい。フィレット縁は、尖った辺を伴わないより滑らかな面を有し、それにより、分離リブは摩耗から保護され得る。
【００４９】
具体的に、図４及び図５に示されるように、コネクタ部品２１は、フェルール接続部材２１３と、接続シャフト２１４と、光ケーブル固定装置２１５とを含む。フェルール２１１はフェルール接続部材２１３の一端に配置される。フェルール接続部材２１３の他端は、接続シャフト２１４へ接続される。接続シャフト２１４及びフェルール接続部材２１３は、ネジ山を介して接続されてよい。接続シャフト２１４の、フェルール接続部材２１３から離れている一端は、光ケーブル固定装置２１５へ接続される。光ケーブル固定装置２１５は、光ケーブル４を固定するために使用される。接続シャフト２１４には、軸方向に延在する貫通孔２１４１が設けられる。貫通孔２１４１は、光ケーブル４のケーブルコアが通るために使用される。貫通孔を通るケーブルコアは、フェルール２１１へ接続される。図７に示されるように、セラミックチューブ１１１がアダプタ１のジャック１１に配置される。光ファイバサブアセンブリ２及びアダプタ１が相互接続されるとき、フェルール接続部材２１３はジャック１１にはまり、フェルール２１１はセラミックチューブ１１１にはまる。
【００５０】
バネ２３の配置ポジションが図４に示され得る。ロッキングキャップ２２は接続シャフト２１４を覆うスリーブを構成し、接続シャフト２１４の外壁にはアキシャルショルダ２１４２が形成され、ロッキングキャップ２２の内壁には突起２２２が形成され、バネ２３の一端はアキシャルショルダ２１４２に当接し、バネ２３の他端は突起２２２に当接する。この場合に、ロッキングキャップ２２がアダプタ１の方に押されるとき、バネ２３は圧縮される。接続キー２２１が円周セクション１３２の端部に位置するとき、ロッキングキャップ２２は解放され、ロッキングキャップ２２は、バネ２３の復元力の下でアダプタ１から離れて、接続キー２２１が円周セクション１３２の一端で延伸部分１３３にクランプ締めされることを可能にし得る。この場合に、接続キー２２１は、バネの弾性力の下で、長期間、きつく圧縮された状態にある。構造において、バネ２３は、組み立て動作が使い勝手が良いように、追加の部品を使用せずに位置合わされ取り付けられ得る。
【００５１】
ロッキングキャップ２２が回転するよう操作されるときに保持を助けるために、図９に示されるように、対称な平坦面２２３がロッキングキャップ２２の側壁に形成されてよい。このようにして、ロッキングキャップ２２が回転するよう操作されるときに、２つの平坦面２３３は、スリップを防ぐように、回転動作を実行するよう保持されてよい。摩擦を更に大きくするように、平坦面２２３に更にスリップ防止溝が形成されてもよく、持ち味は操作中に改善され得る。複数の対、例えば、２対又は３対の対称な平坦面２３３があってもよい。これは本願で制限されない。
【００５２】
図４及び図５に示されるように、光ケーブル固定装置２１５は、リアリテーナ２１５１、ヒートシンクチュービング２１５２、及び圧着構造２１５３を含み、ヒートシンクチュービング２１５２は光ケーブル４を覆うスリーブを構成し、圧着構造２１５３は、光ファイバサブアセンブリ２の引っ張り強さを増大させるように、光ケーブル４のアラミドヤーン層及び接続シャフト２１４を一緒にリベット締めするために使用される。リアリテーナ２１５１はヒートシンクチュービング２１５２を覆うスリーブを構成し、かつ、接続シャフト２１４の、フェルール接続部材２１３から離れている端部へ接続される。このようにして、光ファイバサブアセンブリ２の末端で光ケーブル４は有効に固定され得る。リアリテーナ２１５１は最初に加工され、最終的にスリーブを構成してよく、あるいは、全体インジェクション成形様式で最終的に成型されてもよく、光ファイバサブアセンブリ２の引っ張り強さ及び密封性を更に改善する。リアリテーナ２１５１を制限するために、位置決めスロットが接続シャフト２１４の側壁に設けられてよく、位置決めスロットにはスナップリング２１５４が配置され、リアリテーナ２１５１はスナップリング２１５４にクランプ締めされる。このようにして、リアリテーナ２１５１は、軸方向に動かないようにされ得る。
【００５３】
光ファイバサブアセンブリ２及びアダプタ１の接続中に、保護チューブ２１２のノッチ２１２１は環状スロット１２の分離リブ１２１とアライメントされる必要があり、ロッキングキャップ２２上の接続キー２２１はアダプタ１上の回転ロッキングスロット１３の開口とアライメントされる必要がある。アダプタ１上の分離リブ１２１及び回転ロッキングスロット１３の開口の相対ポジションは固定され、ロッキングキャップ２２はコネクタ部品２１に対して回転し得る。従って、保護チューブ２１２のノッチ２１２１及びロッキングキャップ２２上の接続キー２２１の相対ポジションは固定されない。アライメント動作を容易にするために、図９に示されるように、指示マーク２２４がロッキングキャップ２２の外壁に配置されてもよい。指示マーク２２４は、矢印、指示線などであってよい。指示マーク２２４のポジションは、指示マーク２２４が保護チューブ２１２のノッチ２１２１とアライメントされるときに、保護チューブ２１２のノッチ２１２１及びロッキングキャップ２２上の接続キー２２１の相対ポジションがアダプタ１上の分離リブ１２１及び回転ロッキングスロット１３の開口の相対ポジションに適合するように、設定されてよい。この場合に、保護チューブ２１２のノッチ２１２１を環状スロット１２の分離リブ１２１とアライメントしさえすればよく、従って、ロッキングキャップ２２上の接続キー２２１は、アダプタ１上の回転の開口と必然的にアライメントされる。
【００５４】
相応して、光ファイバサブアセンブリ２及びアダプタ１が締め付け状態又は緩み状態にあるかどうかを都合よく示すために、図６に示されるように、状態指示シンボル１４がアダプタ１に配置されてもよい。状態指示シンボル１４は、シンボル“０”及びシンボル“１”を含んでよい。シンボル“０”は、光ファイバサブアセンブリ２及びアダプタ１が緩み状態にあることを表す。シンボル“１”は、光ファイバサブアセンブリ２及びアダプタ１が締め付け状態にあることを表す。このようにして、ロッキングキャップ２２上の指示マーク２２４がシンボル“０”を指すとき、接続キー２２１は回転ロッキングスロット１３の円周セクション１３２の始端にあり、光ファイバサブアセンブリ２及びアダプタ１は緩み状態にあり、光ファイバサブアセンブリ２及びアダプタ１は、分離するように軸方向Ｘにおいて動き得る。ロッキングキャップ２２上の指示マーク２２４がシンボル“１”を指すとき、接続キー２２１は回転ロッキングスロット１３の円周セクション１３２の末端伸長部分１３３にあり、光ファイバサブアセンブリ２及びアダプタ１は締め付け状態にあり、光ファイバサブアセンブリ２及びアダプタは、分離するように軸方向Ｘにおいて動くことができない。
【００５５】
ロッキングキャップ２２が回転するときに指示マーク２２４が保護チューブ２１２のノッチ２１２１から遠く離れないように、回転制限構造がロッキングキャップ２２と保護チューブ２１２との間に配置されてもよい。回転制限構造は、コネクタ部品２１に対してロッキングキャップ２２の回転角度を制限するために使用され、それにより、ロッキングキャップ２２の回転角度は、接続キー２２１が回転ロッキングスロット１３の開口から回転ロッキングスロット１３の一端内に回転されるために必要とされる回転角度に適応する。具体的に、図８に示されるように、回転制限構造は、ロッキングキャップ２２の内壁に間隔をおいて配置されている２つの第１制限バンプ２２５と、保護チューブ２１２に配置されている第２制限バンプ２１２３とを含む。第２制限バンプ２１２３は、２つの第１制限バンプ２２５の間に位置する。このようにして、ロッキングキャップ２２の回転角度は、指示マーク２２４は、アライメント動作を容易にするよう保護チューブ２１２から遠く離れないように、比較的に小さい範囲において制限され得る。
【００５６】
水分及び塵埃などの異物が光ファイバコネクタに入ることを防ぐために、図４及び図５に示されるように、ロッキングキャップ２２と接続シャフト２１４との間の接続にシーリングリング２１６が配置されてもよく、水分及び塵埃などの異物がロッキングキャップ２２と接続シャフト２１４との間の接続を通って光ファイバコネクタに入ってＩＰ６８保護レベルに達することを防ぐ。
【００５７】
コネクタ部品２１の第２端及びアダプタ１の第１端は、接続される前に開状態にある。この場合に、塵埃などの異物がコネクタ部品２１及びアダプタ１に入ることを防ぐように、図３及び図５に示されるように、第１防塵キャップ２４がコネクタ部品２１の第２端で着脱可能に接続されてよい。第１防塵キャップ２４が紛失することを防ぐように、第１防塵キャップ２４は、ストリング２４１によりリアリテーナ２１５１へ接続されてよい。第１防塵キャップ２４が閉じられるときに第１防塵キャップ２４が望ましい密閉効果を形成することを可能にするように、シーリングリング２４２が第１防塵キャップ２４とロッキングキャップ２２との間に配置されてもよい。このようにして、光ファイバサブアセンブリ２がアダプタ１に挿入される前に、防塵性及び防水性が提供され得、フェルール２１１は保護され得る。図７に示されるように、第２防塵キャップ１５がアダプタ１の第１端へ着脱可能に接続される。このようにして、光ファイバサブアセンブリ２がアダプタ１に挿入される前に、防塵性及び防水性が提供され得、アダプタ１内のセラミックチューブ１１１は保護され得る。アダプタ１及び光ファイバサブアセンブリ２が接続される必要があるとき、第１防塵キャップ２４及び第２防塵キャップ１５を取り外しさえすればよい。図１０に示されるように、第２防塵キャップ１５が閉じられるときに望ましい密閉効果を形成することを可能にするように、シーリングキャップ１５１が更にアダプタ１に配置される。
【００５８】
アダプタ１は通常、デバイスの筐体壁に取り付けられるので、図７に示されるように、ナット１６がネジ山を介してアダプタ１の第２端で接続され、アダプタ１の側壁にはフランジ１７が配置され、フランジ１７とナット１６との間にはシーリングパッド１８が配置される。アダプタ１の組み立て中に、ナット１６は最初に取り外れてよく、それから、アダプタ１の第２端がデバイスの筐体壁の組み立て穴を通され、ナット１６は最終的に、デバイスの筐体壁の他の面からアダプタ１の第２端にねじ込められる。この場合に、シーリングパッド１８は、筐体壁の組み立て穴を密閉するようデバイスの筐体壁とフランジ１７との間に位置する。第２防塵キャップ１５が紛失することを防ぐように、図７に示されるように、シーリングパッド１８はストリング１９を介して第２防塵キャップ１５へ接続されてよく、このとき、シーリングパッド１８、第２防塵キャップ１５及びストリング１９は、同じ部材（例えば、ゴム材料）から一体的に作られてもよい。
【００５９】
第２の態様に従って、本願の実施形態は光ファイバサブアセンブリを更に提供する。その関連する技術的特徴については、上記の光ファイバコネクタの実施形態における光ファイバサブアセンブリに関連した特徴の説明を参照されたい。詳細はここで再び記載されない。
【００６０】
第３の態様に従って、本願の実施形態はアダプタを更に提供する。その関連する技術的特徴については、上記の光ファイバコネクタの実施形態におけるアダプタに関連した特徴の説明を参照されたい。詳細はここで再び記載されない。
【００６１】
本明細書の説明にといて、記載されている具体的な特徴、構造、材料、又は特性は、実施形態又は例のいずれか１つ以上において適切な様態で組み合わされてよい。
【００６２】
上記の説明は、本発明の具体的な実施にすぎず、本発明の保護範囲を制限する意図はない。本発明で開示されている技術範囲内で当業者によって容易に考え出される如何なる変形又は置換も、本発明の保護範囲内にあるはずである。従って、本発明の保護範囲は、特許請求の範囲の保護範囲に従うべきである。